(57)【要約】【課題】食器洗い乾燥機において、食器類の出し忘れを防止し、重複洗浄乾燥を防止すること。【解決手段】食器類１に無線ＩＣタグ２が貼付され、読取手段３で無線ＩＣタグ２からデータを読み取り、食器類１の員数を含む情報を取得して、記憶手段に前記情報を記憶し、前記情報より食器洗い乾燥機１０内に存在する食器類の総員数を算出する。洗浄乾燥処理して前記食器類を取り出した後に具備した読取手段３で再び無線ＩＣタグ２からデータを読み取り、前記総員数との差を求め、前記差に相当するひとつ以上の食器類を探知して、報知手段９により前記ひとつ以上の食器類を取り除くように指示するようにした。【選択図】図１
2006314357.tif 000002
【特許請求の範囲】
【請求項１】
食器類に無線ＩＣタグが貼付され、具備した読取手段で前記無線ＩＣタグからデータを読み取り、前記食器類の認識情報を取得する食器洗い乾燥機において、洗浄乾燥処理して前記食器類を取り出した後に前記読取手段で前記無線ＩＣタグからデータを読み取り、具備した記憶手段に前記情報を記憶し、食器洗い乾燥機内に存在するひとつ以上の食器類を探知して、報知手段により前記ひとつ以上の食器類を取り除くように指示することを特徴とする食器洗い乾燥機。
【請求項２】
洗浄乾燥終了して報知後に記憶手段で記憶した情報を消去することを特徴とする請求項１記載の食器洗い乾燥機。
【請求項３】
請求項１〜２のいずれか記載の食器洗い乾燥機において少なくともひとつの手段をコンピュータに実行させるためのプログラム。
【発明の詳細な説明】
【技術分野】
【０００１】
本発明は、省エネルギーに貢献する食器洗い乾燥機とそのプログラムに関するものである。
【背景技術】
【０００２】
食器洗い乾燥機は、水や電気を使用して洗浄乾燥するので、最適な運転をしなかった場合には、水や電気を無駄使いすることになる。特に食器類（食器のほかにフォーク、スプーンなど小物調理器）を出し忘れると、同一の食器類に対する洗浄乾燥の重複による水や電気の浪費は憂慮すべき事項である。最適回数の洗浄乾燥をすることがエネルギー使用効率上から好ましい。
【０００３】
最近では京都議定書目標達成に向けた炭酸ガス排出規制の問題がクローズアップされ、省エネルギーは大きな課題になっており、食器類の員数を把握して重複洗浄乾燥を防止してエネルギー効率を向上させることは非常に好ましい。こういった食器洗い乾燥機への食器類を探知するための工夫はすでに色々と行われてきた（たとえば特許文献１参照）。
【特許文献１】特開平１１−２０６６８３号公報
【発明の開示】
【発明が解決しようとする課題】
【０００４】
しかしながら、特許文献１では、洗浄乾燥処理後の食器類の出し忘れに対する配慮は全くされていない欠点があった。
【課題を解決するための手段】
【０００５】
そこで、前記の課題を解決するために、本発明の食器洗い乾燥機とそのプログラムは、食器類に無線ＩＣタグが貼付され、具備した読取手段で前記無線ＩＣタグからデータを読み取り、前記食器類の認識情報を取得する食器洗い乾燥機において、洗浄乾燥処理して前記食器類を取り出した後に前記読取手段で前記無線ＩＣタグからデータを読み取り、具備した記憶手段に前記情報を記憶し、食器洗い乾燥機内に存在するひとつ以上の食器類を探知して、報知手段により前記ひとつ以上の食器類を取り除くように指示するようにした。
【発明の効果】
【０００６】
これにより、食器類を出し忘れた時には取り除くべき食器類が的確かつ確実に指示されるので、食器類の重複洗浄を防止することにより、無駄なエネルギー使用を避けることができる。
【発明を実施するための最良の形態】
【０００７】
第１の発明は、食器洗い乾燥機において、食器類に無線ＩＣタグが貼付され、具備した読取手段で前記無線ＩＣタグからデータを読み取り、前記食器類の認識情報を取得する食器洗い乾燥機において、洗浄乾燥処理して前記食器類を取り出した後に前記読取手段で前記無線ＩＣタグからデータを読み取り、具備した記憶手段に前記情報を記憶し、食器洗い乾燥機内に存在するひとつ以上の食器類を探知して、報知手段により前記ひとつ以上の食器類を取り除くように指示するようにした。
【０００８】
これにより、洗浄乾燥後に食器類を出し忘れた時には取り除くべき食器類が的確かつ確実に指示されるので、食器類の２度洗いを防止することにより、無駄なエネルギー使用を避けることができる。
【０００９】
第２の発明は、特に第１の発明の食器洗い乾燥機において、洗浄乾燥を開始して、洗浄乾燥終了して報知後に記憶手段で記憶した情報を消去するようにした。
【００１０】
これにより、食器洗い乾燥機は洗浄乾燥終了して報知後に食器類の員数を含む情報を確実に消去して、次回からの洗浄乾燥に備えることが出来る。
【００１１】
第３の発明は、特に第１〜２記載のいずれかの発明の食器洗い乾燥機において、少なくともひとつの手段をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。また記録媒体に記録あるいは、通信回線を用いてプログラム配信することにより、プログラム配布が他の手段に比べて極めて簡単に実現できる。
【００１２】
以下、本発明の実施の形態について、図面を用いて一実施形態について詳細に説明する。なお、この実施の形態によって本発明が限定されるものではない。
【００１３】
（実施の形態１）
図１は本発明の食器洗い乾燥機の構成一例を示す図である。
【００１４】
最初に食器洗い乾燥機１０について説明する。食器洗い乾燥機１０は、食器類１を洗浄乾燥する装置であり、食器類１に添付された無線ＩＣタグ２の情報を読み取る読取手段３、制御手段４、洗浄乾燥手段５を具備する。
【００１５】
洗浄乾燥処理して前記食器類を取り出した後に、食器洗い乾燥機１０内に食器類が残っていれば、食器類１に添付された無線ＩＣタグ２に書かれている情報が、読取手段３により読み取られる。そして制御手段４に送られ、制御手段４内の記憶手段に記憶される。
【００１６】
制御手段４は、記憶手段に記憶されている食器類の総員数を算出し、食器洗い乾燥機内にひとつ以上の食器類が存在する場合には、報知手段により前記ひとつ以上の食器類を取り除くように報知する。
【００１７】
なお、記憶手段に記憶されている食器類の員数を含む情報は、例えば報知手段により報知した後に食器洗い乾燥機内に食器類が存在しなくなった時点で一括して消去することにより、洗浄乾燥終了時に情報がリセットされ、次回からの洗浄乾燥に備えることが可能となる。
【００１８】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【産業上の利用可能性】
【００１９】
以上のように、本発明にかかる食器洗い乾燥機とそのプログラムは、食器類に無線ＩＣタグが貼付され、具備した読取手段で前記無線ＩＣタグからデータを読み取り、前記食器類の認識情報を取得する食器洗い乾燥機において、洗浄乾燥処理して前記食器類を取り出した後に前記読取手段で前記無線ＩＣタグからデータを読み取り、具備した記憶手段に前記情報を記憶し、食器洗い乾燥機内に存在するひとつ以上の食器類を探知して、報知手段により前記ひとつ以上の食器類を取り除くように指示するようにした。
【００２０】
これにより、洗浄乾燥後に食器類を出し忘れた時には取り除くべき食器類が的確かつ確実に指示されるので、食器類の２度洗いを防止することにより、無駄なエネルギー使用を避けることができる。
【００２１】
なお、本発明は食器洗い乾燥機に限らず、食器洗い機、食器乾燥機にも利用できる。
【００２２】
また、食器類以外であっても無線ＩＣタグが貼付されているものであれば庫内に存在するか否かを探知して取り忘れを報知することができる。
【図面の簡単な説明】
【００２３】
【図１】本発明の食器洗い乾燥機の構成一例を示す図
【符号の説明】
【００２４】
１  食器類
２  無線ＩＣタグ
３  読取手段
４  制御手段
５  洗浄乾燥手段
９  報知手段
１０  食器洗い乾燥機
【図１】
2006314357.tif 000003